(57)【特許請求の範囲】
【請求項１】
加熱装置から供給された電磁波を吸収して加熱される材質で形成され、前記電磁波を透過する電磁波透過領域と、前記電磁波を透過しない電磁波不透過領域とを有する発熱体であって、
前記電磁波透過領域は、前記発熱体の厚みに対して、前記電磁波が表面から内部に浸透して発生する電力が半分に減じる電力半減深度の深さを有する溝が形成されている発熱体。
【請求項２】
前記電磁波透過領域は、前記発熱体の中心から径方向に向かって前記電磁波の波長の１／４の長さおきに設けられる座繰り部である請求項１に記載の発熱体。
【請求項３】
前記座繰り部に、所定の直径を有する複数の透過孔を有する請求項２に記載の発熱体。
【請求項４】
前記溝は、前記発熱体の外周部に設けられる請求項１に記載の発熱体。
【請求項５】
前記溝は、前記発熱体の中心部に設けられる請求項１に記載の発熱体。
【請求項６】
電磁波によって処理室内の基板を加熱する加熱装置と、
前記電磁波を透過する電磁波透過領域と、前記電磁波を透過しない電磁波不透過領域とを有する発熱体であって、前記電磁波透過領域は、前記発熱体の厚みに対して、前記電磁波が表面から内部に浸透して発生する電力が半分に減じる電力半減深度の深さを有する溝が形成されている発熱体と、
前記基板と前記基板の上方と下方に少なくとも１つずつ垂直方向に配置される前記発熱体とを載置する基板保持具と、
を有する基板処理装置。
【請求項７】
前記電磁波透過領域は、前記発熱体の中心から径方向に向かって前記電磁波の波長の１／４の長さおきに設けられる座繰り部である請求項６に記載の基板処理装置。
【請求項８】
前記座繰り部は、所定の直径を有する複数の透過孔を有する請求項７に記載の基板処理装置。
【請求項９】
前記溝は、前記発熱体の外周部に設けられる請求項６に記載の基板処理装置。
【請求項１０】
前記溝は、前記発熱体の中心部に設けられる請求項６に記載の基板処理装置。
【請求項１１】
前記基板を挟み込むように配置され、前記基板の主面側に配置された前記発熱体は前記電磁波透過領域を有し、前記主面と反対側の面に配置された前記発熱体は前記電磁波透過領域を有さない請求項６に記載の基板処理装置。
【請求項１２】
電磁波によって処理室内の基板を加熱する加熱装置と、前記電磁波を透過する電磁波透過領域と、前記電磁波を透過しない電磁波不透過領域とを有する発熱体であって、前記電磁波透過領域は、前記発熱体の厚みに対して、前記電磁波が表面から内部に浸透して発生する電力が半分に減じる電力半減深度の深さを有する溝が形成されている発熱体と、前記基板と前記基板の上方と下方に少なくとも１つずつ垂直方向に配置される前記発熱体とを載置する基板保持具と、を有する基板処理装置の前記処理室内に前記基板を搬入する工程と、
前記基板を加熱して所定の処理を行う工程と、
前記基板を前記処理室から搬出する工程と、
を有する半導体装置の製造方法。
【請求項１３】
電磁波によって処理室内の基板を加熱する加熱装置と、前記電磁波を透過する電磁波透過領域と、前記電磁波を透過しない電磁波不透過領域とを有する発熱体であって、前記電磁波透過領域は、前記発熱体の厚みに対して、前記電磁波が表面から内部に浸透して発生する電力が半分に減じる電力半減深度の深さを有する溝が形成されている発熱体と、前記基板と前記基板の上方と下方に少なくとも１つずつ垂直方向に配置される前記発熱体とを載置する基板保持具と、を有する基板処理装置の前記処理室内に前記基板を搬入する手順と、
前記基板を加熱して所定の処理を行う手順と、
前記基板を前記処理室から搬出する手順と、
をコンピュータによって前記基板処理装置に実行させるプログラム。
【発明の詳細な説明】
【技術分野】
【０００１】
本発明は、発熱体、基板処理装置、半導体装置の製造方法およびプログラムに関する。
【背景技術】
【０００２】
半導体装置の製造工程の一工程として、例えば、加熱装置を用いて処理室内の基板を加熱し、基板の表面に成膜された薄膜中の組成や結晶構造を変化させる改質処理がある。最近の半導体デバイスにおいては、微細化に伴い、高いアスペクト比を有するパターンが形成された高密度の基板への改質処理が求められている。
【先行技術文献】
【特許文献】
【０００３】
【特許文献１】特開平１１−２５１３２３号公報
【発明の概要】
【発明が解決しようとする課題】
【０００４】
従来の改質処理方法では、基板を均一に加熱することができず、対象膜の均一な処理ができなかった。【０００５】
本発明の目的は、均一な基板処理を行うことが可能となる技術を提供することにある。
【課題を解決するための手段】
【０００６】
本発明の一態様によれば、
加熱装置から供給された電磁波を吸収して加熱される材質で形成され、前記電磁波を透過する電磁波透過領域と、前記電磁波を透過しない電磁波不透過領域とを有する発熱体とそれを用いた技術が提供される。
【発明の効果】
【０００７】
本発明によれば均一な基板処理を行うことができる技術を提供することが可能となる。
【図面の簡単な説明】
【０００８】
【図１】本発明の第１の実施形態で好適に用いられる基板処理装置の枚葉型処理炉の概略構成図であり、処理炉部分を縦断面で示す図である。
【図２】本発明における基板の温度を測定する際の図である。
【図３】本発明における第１の実施形態を示す図である。
【図４】（Ａ）均熱板の表面に電磁波透過領域としてのマイクロ波透過孔を設けない場合の均熱板、ウエハ、マイクロ波の関係を示す模式図である。（Ｂ）本発明における均熱板、ウエハ、マイクロ波の関係を示す模式図である。
【図５】本発明におけるマイクロ波透過孔のピッチａを説明する図である。
【図６】本発明で好適に用いられる基板処理装置のコントローラの概略構成図である。
【図７】本発明における基板処理装置のフローを示す図である。
【図８】本発明におけるウエハのキャリア密度の温度依存性に関する一例を示す図である。
【図９】本発明における変形例１を示す図である。
【図１０】本発明における変形例２を示す図である。
【図１１】本発明における変形例３を示す図である。
【図１２】（Ａ）均熱板の表面に電磁波透過領域としてのマイクロ波透過孔を設けない場合のウエハの面内の温度分布を示した図である。（Ｂ）本発明における変形例３の均熱板を用いた場合のウエハの面内の温度分布を示した図である。
【図１３】本発明における変形例４を示す図である。
【図１４】本発明における電磁波透過領域を説明する図である。
【図１５】本発明における変形例５を示す図である。
【図１６】本発明における基板処理装置の第２の実施形態を示す図である。
【発明を実施するための形態】
【０００９】
＜第１の実施形態＞
以下、本発明の第１の実施形態について図１から図７を参照しながら説明する。
【００１０】
（１）基板処理装置の構成
本実施の形態において、本発明に係る基板処理装置１００は、基板に所定の熱処理を施す枚葉式熱処理装置として構成されている。本実施の形態において基板処理装置１００は後述する電磁波を用いたアニール処理（改質処理）を行う装置として説明を行う。
【００１１】
（処理室）
図１に示すように、本実施形態に係る基板処理装置１００は、金属などの電磁波を反射する材料で構成されるキャビティとしてのケース１０２と、ケース１０２の内部に収容され、垂直方向の上下端部が開放された筒形状の反応管１０３を有している。反応管１０３は、石英などの電磁波を透過する材料で構成される。また、金属材料で構成されたキャップフランジ（閉塞板）１０４が、封止部材（シール部材）としてのＯリング２２０を介して反応管１０３の上端と当接されて反応管の上端を閉塞し、ケース１０２および反応管１０３の天井面を形成している。主にケース１０２と反応管１０３、および、キャップフランジ１０４によってシリコンウエハ等の基板を処理する処理容器を構成し、特に反応管１０３の内側空間を処理室２０１として構成している。反応管１０３を設けずに、ケース１０２、キャップフランジ１０４により処理容器を構成するようにしても良い。その場合、ケース１０２の内部空間が処理室２０１となる。また、キャップフランジを設けずに、天井が閉塞しているケース１０２を用いて処理容器を構成するようにしてもよい。
【００１２】
反応管１０３の下方には載置台２１０が設けられており、載置台２１０の上面には、ウエハ２００を保持する基板保持具としてのボート２１７が載置されている。ボート２１７には、処理対象としてのウエハ２００と、後述するマイクロ波発振器から供給されるマイクロ波によって自身が加熱されることで生じる輻射熱によってウエハ２００を加熱し、当該ウエハ２００を均一に加熱する発熱体としての機能を有するサセプタ（輻射板、誘電体、エネルギー変換部材、均熱板とも称する）１０１ａ、１０１ｂが、所定の間隔でウエハ２００を挟み込むように垂直方向上下に配置されている。本実施の形態においては、ウエハ２００の直上および直下にサセプタ１０１ａ、１０１ｂを配置した構成について説明する。しかし、ウエハ２００の直上および直下である必要はなく、垂直方向に多段に載置された複数枚のウエハ２００を挟み込むように配置されていてもよい。なお、サセプタ１０１ａ、１０１ｂは例えばシリコンプレート（Ｓｉ板）、炭化シリコンプレート（ＳｉＣ板）などの誘電体で構成される。さらに、サセプタ１０１ａの直上およびサセプタ１０１ｂの直下に石英板等の断熱板を設けることによって、ウエハ２００からの放熱を抑制可能に構成してもよい。
【００１３】
また、載置台２１０の側壁には、載置台２１０の径方向に向かって突出した図示しない突出部が載置台２１０の底面側に設けられる。この突出部が、後述する処理室２０１と搬送エリア２０３との間に設けられるしきり板２０４と接近または接触することで処理室２０１内の雰囲気が搬送エリア２０３内へ移動することや、搬送エリア２０３内の雰囲気が処理室２０１内へ移動することを抑制させる。また、後述する図２に示すように、ボート２１７の端板（天井板）２１７ａには、温度センサ２６３の測定窓としての孔２１７ｂが設けられており、サセプタ１０１ａが温度センサ２６３によって表面温度を測定されるようにボート２１７に保持される。
【００１４】
上部容器としてのケース１０２は、例えば横断面が円形であり、平らな密閉容器として構成されている。また、下部容器としての搬送容器２０２は、例えばアルミニウム（Ａｌ）やステンレス（ＳＵＳ）などの金属材料または、石英などにより構成されている。処理容器の下方には、基板としてのシリコンウエハ等のウエハ２００を搬送する搬送エリア２０３が形成されている。なお、ケース１０２に囲まれた空間、または、反応管１０３に囲まれた空間であって、仕切り板２０４よりも上方の空間を基板処理空間としての処理室２０１又は反応エリア２０１と称し、搬送容器２０２に囲まれた空間であって、仕切り板よりも下方の空間を搬送エリア２０３または搬送空間２０３と称する場合もある。なお、処理室２０１と搬送エリア２０３は、本実施例のように垂直方向に隣接させて構成することに限らず、水平方向に隣接させて構成したり、処理室２０１と搬送エリア２０３が同一空間となるように構成してもよい。
【００１５】
搬送容器２０２の側面には、ゲートバルブ２０５に隣接した基板搬入搬出口２０６が設けられており、ウエハ２は基板搬入搬出口２０６を介して図示しない基板搬送室との間を移動する。
【００１６】
ケース１０２の側面には、後述する電磁波をケース１０２内に供給してウエハ２００を加熱する加熱装置としての電磁波供給部が設けられている。
【００１７】
載置台２１０は回転軸としてのシャフト２５５によって支持される。シャフト２５５は、搬送容器２０２の底部を貫通しており、更には搬送容器２０２の外部で回転、昇降動作を行う駆動機構２６７に接続されている。駆動機構２６７を作動させてシャフト２５５及び載置台２１０を回転、昇降させることにより、ボート２１７上に載置されるウエハ２００を回転または昇降させることが可能となっている。なお、シャフト２５５下端部の周囲はベローズ２１２により覆われており、処理室２０１および搬送エリア２０３内は気密に保持されている。
【００１８】
載置台２１０は、ウエハ２００の搬送時には、載置台上面が基板搬入搬出口２０６の位置（ウエハ搬送位置）となるよう下降し、ウエハ２００の処理時には図１で示されるように、ウエハ２００が処理室２０１内の処理位置（ウエハ処理位置）まで上昇する。
【００１９】
（排気部）
処理室２０１の下方であって、載置台２１０の外周側には、処理室２０１の雰囲気を排気する排気部が設けられている。図１に示すように、排気部には排気口２２１が設けられている。排気口２２１には排気管２３１が接続されており、排気管２３１には、処理室２０１内の圧力に応じて弁開度を制御するＡＰＣバルブなどの圧力調整器２４４、真空ポンプ２４６が順に直列に接続されている。ここで、圧力調整器２４４は、処理室２０１内の圧力情報（後述する圧力センサ２４５からのフィードバック信号）を受信して排気量を調整することができるものであればＡＰＣバルブに限らず、通常の開閉バルブと圧力調整弁を併用するように構成されていてもよい。
【００２０】
主に、排気口２２１、排気管２３１、圧力調整器２４４により排気部（排気系または排気ラインとも称する）が構成される。なお、処理室２０１を囲むように排気路を設け、ウエハ２００の全周からガスを排気可能に構成してもよい。また、排気部の構成に、真空ポンプ２４６を加えるようにしてもよい。
【００２１】
（ガス供給部）
キャップフランジ１０４には、不活性ガス、原料ガス、反応ガスなどの各種基板処理のための処理ガスを処理室２０１内に供給するためのガス供給管２３２が設けられている。ガス供給管２３２には、上流から順に、流量制御器（流量制御部）であるマスフローコントローラ（ＭＦＣ）２４１、および、開閉弁であるバルブ２４３が設けられている。ガス供給管２３２の上流側には、例えば不活性ガスである窒素（Ｎ２）ガス源が接続され、ＭＦＣ２４１、バルブ２４３を介して処理室２０１内へ供給される。基板処理の際に複数種類のガスを使用する場合には、ガス供給管２３２のバルブ２４３よりも下流側に、上流方向から順に流量制御器であるＭＦＣおよび開閉弁であるバルブがそれぞれ設けられたガス供給管が接続されていてもよい。ここで、主に、ガス供給管２３２、ＭＦＣ２４１、バルブ２４３によってガス供給系（ガス供給部）が構成される。なお、図示しないガス供給源をガス供給系に含めてもよい。また、ガス供給部は図１に示すような処理容器の天井部より供給されることに限らず、どのような位置から供給されるように配置されていてもよい。
【００２２】
ガス供給管２３２から不活性ガスを供給する場合、主に、ガス供給管２３２、ＭＦＣ２４１、バルブ２４３により不活性ガス供給系（不活性ガス供給部）が構成される。不活性ガスとしては、Ｎ２ガスの他、例えば、Ａｒガス、Ｈｅガス、Ｎｅガス、Ｘｅガス等の希ガスを用いることができる。
【００２３】
（温度センサ）
キャップフランジ１０４には、非接触式の温度検出器として温度センサ２６３が設置されている。温度センサ２６３により検出された温度情報に基づき後述するマイクロ波発振器６５５の出力を調整することで、基板を加熱し、基板温度が所望の温度分布となる。温度センサ２６３は、例えばＩＲ（Ｉｎｆｒａｒｅｄ  Ｒａｄｉａｔｉｏｎ）センサなどの放射温度計で構成されている。なお、基板の温度を測定する方法として、上述した放射温度計に限らず、熱電対を用いて温度測定を行ってもよいし、熱電対と放射温度計を併用して温度測定を行ってもよい。ただし、熱電対を用いて温度測定を行った場合、熱電対の測温精度を向上させるために処理ウエハ２００の近傍に配置して温度測定を行う必要があることから、後述するマイクロ波発振器から供給されたマイクロ波によって熱電対自体が加熱されてしまうため、放射温度計を温度センサ２６３として用いることが好ましい。また、温度センサ２６３は、キャップフランジ１０４に設けることに限らず、載置台２１０に設けるようにしてもよい。このように構成することによって、上端が閉塞された反応管を用いることが可能となり、処理室２０１に供給されるマイクロ波や処理ガス等が漏洩する可能性を低減することが可能となる。また、温度センサ２６３は、キャップフランジ１０４や載置台２１０に直接設置するだけでなく、キャップフランジ１０４や載置台２１０に設けられた測定窓からの放射光を鏡等で反射させて間接的に測定するように構成されていてもよい。このように構成することによって、温度センサ２６３を設置する場所の制限を緩和することが可能となる。
【００２４】
（電磁波供給部）
ケース１０２の側壁には電磁波導入ポート６５３−１、６５３−２が設置されている。電磁波導入ポート６５３−１、６５３−２のそれぞれには処理室２０１内に電磁波を供給するための導波管６５４−１、６５４−２のそれぞれの一端が接続されている。導波管６５４−１、６５４−２それぞれの他端には処理室２０１内に電磁波を供給して加熱する加熱源としてのマイクロ波発振器（電磁波源）６５５−１、６５５−２が接続されている。マイクロ波発振器６５５−１、６５５−２は、マイクロ波などの電磁波を導波管６５４−１、６５４−２にそれぞれ供給する。また、マイクロ波発振器６５５−１、６５５−２は、マグネトロンやクライストロンなどが用いられる。ここで、電磁波導入ポート６５３−１、６５３−２、導波管６５４−１、６５４−２、マイクロ波発振器６５５−１、６５５−２は、一般的な説明等をする場合には、それぞれを代表して電磁波導入ポート６５３、導波管６５４、マイクロ波発振器６５５と記載する。
【００２５】
マイクロ波発振器６５５によって生じる電磁波の周波数は、好ましくは１３．５６ＭＨｚ以上２４．１２５ＧＨｚ以下の周波数範囲となるように設定される。さらに好適には、２．４５ＧＨｚまたは５．８ＧＨｚの周波数となるように設定されることが好ましい。また、本実施形態において、マイクロ波発振器６５５は、ケース１０２の側面に２つ配置されるように記載されているが、これに限らず、１つ以上設けられていればよい。また、ケース１０２の対向する側面等の異なる側面に設けられるように配置してもよい。このように構成することによって、後述するマイクロ波がウエハ２００上で部分的に吸収される領域、すなわち、ウエハ２００が部分的に加熱されることを抑制することが可能となり、ウエハ２００の面内温度均一性を向上させることが可能となる。主に、マイクロ波発振器６５５−１、６５５−２、導波管６５４−１、６５４−２および電磁波導入ポート６５３−１、６５３−２によって電磁波供給部（電磁波供給装置、マイクロ波供給部、マイクロ波供給装置）としての加熱装置が構成される。
【００２６】
マイクロ波発振器６５５−１、６５５−２それぞれには後述するコントローラ１２１が接続されている。コントローラ１２１には処理室２０１内に収容されるサセプタ１０１ａまたは１０１ｂ、若しくはウエハ２００の温度を測定する温度センサ２６３が接続されている。温度センサ２６３は、サセプタ１０１ａまたは１０１ｂ、若しくはウエハ２００の温度を測定してコントローラ１２１に送信し、コントローラ１２１によってマイクロ波発振器６５５−１、６５５−２の出力を制御し、ウエハ２００の加熱を制御する。ここで、マイクロ波発振器６５５−１、６５５−２は、コントローラ１２１から送信される同一の制御信号によって制御される。しかし、これに限らず、マイクロ波発振器６５５−１、６５５−２それぞれにコントローラ１２１から個別の制御信号を送信することでマイクロ波発振器６５５−１、６５５−２が個々に制御されるように構成してもよい。
【００２７】
（均熱板）
図１に示すように処理室２０１内には、ウエハ２００を１枚或いは所定の間隔で垂直方向に配置された複数枚を保持するボート２１７が設けられている。ボート２１７は、ウエハ２００の上下に均熱板（輻射板）としてのサセプタ１０１ａ、１０１ｂを保持している。本実施形態において、サセプタ１０１ａ、１０１ｂは、同一の部品であり、以後、特に区別して説明する必要が無い場合には、サセプタ１０１と称して説明する。
【００２８】
サセプタ１０１は、ウエハ２００と同等またはそれ以上の直径を有する円盤状に形成され、ウエハ２００と同様にボート２１７に設けられた図示しないウエハ保持溝に保持されている。また、図３に示すようにサセプタ１０１は、マイクロ波を透過させるための所定の直径を有するマイクロ波透過孔３００を複数個備えている。さらに、サセプタ１０１は、処理室２０１内に供給されたマイクロ波を吸収し、透過させない材質（例えばＳｉＣなど）で構成される。このように、サセプタ１０１は、マイクロ波を透過させない部材で構成すると共に、マイクロ波透過孔３００を複数設けることによって、電磁波の不透過領域（不透過部）と透過領域（透過部）とを構成することが可能となる。すなわち、図４（Ａ）に示すように、サセプタ１０１にマイクロ波透過孔３００を設けない場合、マイクロ波はサセプタ１０１ａおよびサセプタ１０１ｂによって、反射または吸収されてしまい、サセプタ１０１からの輻射熱によるウエハ２００の間接加熱が主となり、昇温速度が遅くなったり、ウエハ２００の均一加熱が困難になったりしてしまう。これに対し図４（Ｂ）に示すように、サセプタ１０１にマイクロ波透過孔３００を複数設けた本発明においては、サセプタ１０１に複数設けられたマイクロ波透過孔３００によって、マイクロ波４００を透過させてウエハ２００を加熱する直接加熱と、サセプタ１０１を加熱して間接的にウエハ２００を加熱させる間接加熱を同時に実施可能となる。これによって、マイクロ波４００によるウエハ２００の直接加熱することでウエハ２００の表面に形成された所定の膜のみを選択的に加熱することができるという選択加熱の特徴を損なわずに、ウエハ２００面内の温度均一性を向上させることが可能となる。なお、本発明においてサセプタ１０１の表面のマイクロ波透過孔３００以外の部分であるサセプタ１０１がマイクロ波４００を吸収する領域を電磁波不透過領域と称し、マイクロ波透過孔３００が設けられている領域を電磁波透過領域と称する。
【００２９】
なお、前記したマイクロ波透過孔３００の径は千鳥格子状に形成されており、図５に記載されているように、千鳥格子状に形成された孔の横、縦方向のピッチをそれぞれａ，ｂ、マイクロ波の自由空間波長をλ、サセプタ１０１の厚さをｔ、マイクロ波の入射角をβとした場合はマイクロ波透過孔３００の直径をＤとすると、横のピッチａは、数式１で表すことができる。
【００３０】
【数１】
0006664487.tif 000002
【００３１】
この時のサセプタ１０１の表面積に対する開孔率Ａは、数式２で表すことができる。
【００３２】
【数２】
0006664487.tif 000003
【００３３】
サセプタが金属板の場合、表面にマイクロ波が入射した時の減衰量αが４０ｄＢ未満の場合は、マイクロ波が漏洩している。サセプタ１０１の開口は、減衰量閾値を４０ｄＢとして漏洩させたい割合に合わせて孔径を変更することで透過する量を調整することが可能となる。
【００３４】
ここでマイクロ波透過孔３００の形状は、どのような形状とすることも可能であるが、加工が簡単である円形状に形成されることが好ましい。また、サセプタ１０１は、ウエハ２００よりもマイクロ波の吸収率が大きく、比熱が小さい材質で形成されることが好ましい。このような材質でサセプタ１０１を形成することによって、サセプタ１０１がウエハ２００よりも早く加熱されるため、ウエハ２００に対し輻射による間接加熱を均一に行うことが可能となり、ウエハ２００を予備的に加熱することが可能となる。したがって、比熱が大きいウエハ２００の加熱時の温度ムラを緩和させつつ、ウエハ２００からの熱逃げも防止することが可能となる。
【００３５】
また、マイクロ波透過孔３００は、１つのみを設けるよりも開口面積の総和が同一であっても複数の孔として設けることが好ましい。複数のマイクロ波透過孔３００を設けることによって、マイクロ波が透過する位置を分散させ、ウエハ２００を直接加熱する位置を分散させることが可能となることから、ウエハ２００を均一に加熱することが容易となる。
【００３６】
また、サセプタ１０１に設けたマイクロ波透過孔３００は、サセプタ１０１の中心に対して線対称または点対称に設けることが好ましい。このようにマイクロ波透過孔３００を配置することによって、ウエハ２００を均一に加熱するための制御を容易にすることが可能となる。
【００３７】
また、サセプタ１０１ａとサセプタ１０１ｂはマイクロ波透過孔３００が互いに対向するように、すなわち垂直方向において同じ位置に配置されるようにボート２１７に保持させても良く、周方向にずらしてボート２１７に保持させることでマイクロ波透過孔３００をサセプタ１０１ａとサセプタ１０１ｂで対向しないように、すなわち垂直方向において異なる位置に配置されるように保持させても良い。このように、サセプタ１０１ａとサセプタ１０１ｂがマイクロ波透過孔３００を対向する位置に保持することで、ウエハ２００を所定の温度まで昇温する速度を向上させることが可能となる。また、マイクロ波透過孔３００を対向しないようにサセプタ１０１ａとサセプタ１０１ｂを保持することでウエハ２００を加熱する領域を異ならせることが可能となり、ウエハ２００をより均一に加熱することが可能となる。
【００３８】
また、処理対象膜が形成されていないウエハ面（裏面）側に載置されているサセプタ１０１、すなわち、本実施形態におけるウエハ２００の下方側に載置されているサセプタ１０１ｂには、マイクロ波透過孔３００を設けないように構成しても良い。例えば、本実施形態のように垂直方向上側のウエハ２００面が処理対象膜が形成されている面（主面）とする場合、サセプタ１０１ａにはマイクロ波透過孔３００が形成され、サセプタ１０１ｂにはマイクロ波透過孔３００を形成しないように構成する。このように構成することによって、主面側に載置されるサセプタ１０１ａのマイクロ波透過孔３００の孔径や孔数を制御すればウエハ２００を均一に加熱することが可能となり、ウエハ２００の温度制御を容易にすることが可能となる。
【００３９】
また、図１において、サセプタ１０１はウエハ２００の上下に１枚ずつ配置されるように構成されているが、これに限らず、基板処理温度に応じて複数枚ずつ設置してもよい。このように複数枚ずつ設置することによってウエハ２００が載置されている領域の加熱性能を向上することが可能となる。これによりウエハ２００から放熱が生じてウエハ２００の温度が低下してしまうことを抑制することが可能となる。したがって、ウエハ２００の面内または面間温度均一性を向上させることが可能となる。
【００４０】
（制御装置）
図６に示すように、制御部（制御手段）であるコントローラ１２１は、ＣＰＵ（Ｃｅｎｔｒａｌ Ｐｒｏｃｅｓｓｉｎｇ Ｕｎｉｔ）１２１ａ、ＲＡＭ（Ｒａｎｄｏｍ Ａｃｃｅｓｓ Ｍｅｍｏｒｙ）１２１ｂ、記憶装置１２１ｃ、Ｉ／Ｏポート１２１ｄを備えたコンピュータとして構成されている。ＲＡＭ１２１ｂ、記憶装置１２１ｃ、Ｉ／Ｏポート１２１ｄは、内部バス１２１ｅを介して、ＣＰＵ１２１ａとデータ交換可能なように構成されている。コントローラ１２１には、例えばタッチパネル等として構成された入出力装置１２２が接続されている。
【００４１】
記憶装置１２１ｃは、例えばフラッシュメモリ、ＨＤＤ（Ｈａｒｄ Ｄｉｓｋ Ｄｒｉｖｅ）等で構成されている。記憶装置１２１ｃ内には、基板処理装置の動作を制御する制御プログラムや、アニール（改質）処理の手順や条件等が記載されたプロセスレシピ等が、読み出し可能に格納されている。プロセスレシピは、後述する基板処理工程における各手順をコントローラ１２１に実行させ、所定の結果を得ることが出来るように組み合わされたものであり、プログラムとして機能する。以下、このプロセスレシピや制御プログラム等を総称して、単に、プログラムともいう。また、プロセスレシピを、単にレシピともいう。本明細書においてプログラムという言葉を用いた場合は、レシピ単体のみを含む場合、制御プログラム単体のみを含む場合、または、その両方を含む場合がある。ＲＡＭ１２１ｂは、ＣＰＵ１２１ａによって読み出されたプログラムやデータ等が一時的に保持されるメモリ領域（ワークエリア）として構成されている。
【００４２】
Ｉ／Ｏポート１２１ｄは、上述のＭＦＣ２４１、バルブ２４３、２４４、圧力センサ２４５、真空ポンプ２４６、温度センサ２６３、駆動機構２６７、マイクロ波発振器６５５等に接続されている。
【００４３】
ＣＰＵ１２１ａは、記憶装置１２１ｃから制御プログラムを読み出して実行すると共に、入出力装置１２２からの操作コマンドの入力等に応じて記憶装置１２１ｃからレシピを読み出すように構成されている。ＣＰＵ１２１ａは、読み出したレシピの内容に沿うように、ＭＦＣ２４１による各種ガスの流量調整動作、バルブ２４３、２４４の開閉動作、圧力センサ２４５に基づくバルブ２４４による圧力調整動作、真空ポンプ２４６の起動および停止、温度センサ２６３に基づくマイクロ波発振器６５５の出力調整動作、駆動機構２６７による載置台２１０（またはボート２１７）の回転および回転速度調節動作、または、昇降動作等を制御するように構成されている。
【００４４】
コントローラ１２１は、外部記憶装置（例えば、ハードディスク等の磁気ディスク、ＣＤ等の光ディスク、ＭＯ等の光磁気ディスク、ＵＳＢメモリ等の半導体メモリ）１２３に格納された上述のプログラムを、コンピュータにインストールすることにより構成することができる。記憶装置１２１ｃや外部記憶装置１２３は、コンピュータ読み取り可能な記録媒体として構成されている。以下、これらを総称して、単に、記録媒体ともいう。本明細書において記録媒体という言葉を用いた場合は、記憶装置１２１ｃ単体のみを含む場合、外部記憶装置１２３単体のみを含む場合、または、それらの両方を含む場合がある。なお、コンピュータへのプログラムの提供は、外部記憶装置１２３を用いず、インターネットや専用回線等の通信手段を用いて行ってもよい。
【００４５】
（２）基板処理工程
次に、上述の基板処理装置１００の処理炉を用いて、半導体装置（デバイス）の製造工程の一工程として、例えば、基板上に形成されたシリコン含有膜としてのアモルファスシリコン膜の改質（結晶化）方法の一例について図７に示した処理フローに沿って説明する。以下の説明において、基板処理装置１００を構成する各部の動作はコントローラ１２１により制御される。
【００４６】
ここで、本明細書において「ウエハ」という言葉を用いた場合は、ウエハそのものを意味する場合や、ウエハとその表面に形成された所定の層や膜との積層体を意味する場合がある。本明細書において「ウエハの表面」という言葉を用いた場合は、ウエハそのものの表面を意味する場合や、ウエハ上に形成された所定の層等の表面を意味する場合がある。本明細書において「ウエハ上に所定の層を形成する」と記載した場合は、ウエハそのものの表面上に所定の層を直接形成することを意味する場合や、ウエハ上に形成されている層等の上に所定の層を形成することを意味する場合がある。本明細書において「基板」という言葉を用いた場合も、「ウエハ」という言葉を用いた場合と同義である。
【００４７】
（基板搬入工程（Ｓ７０１））
図１に示されているように、所定枚数のウエハ２００がボート２１７に移載されると、駆動機構２６７は、載置台２１０を上昇させることでボート２１７を反応管１０３内側の処理室２０１に搬入（ボートローディング）する（Ｓ７０１）。
【００４８】
（炉内圧力・温度調整工程（Ｓ７０２））
処理室２０１内へのボート２１７の搬入が完了したら、処理室２０１内が所定の圧力（例えば１０〜１０２０００Ｐａ）となるよう処理室２０１内の雰囲気を制御する。具体的には、真空ポンプ２４６により排気しつつ、圧力センサ２４５により検出された圧力情報に基づいて圧力調整器２４４の弁開度をフィードバック制御し、処理室２０１内を所定の圧力とする。また、同時に予備加熱としてマイクロ波供給部を制御し、所定の温度まで加熱を行うように制御してもよい（Ｓ７０２）。なお、大気圧下で基板処理を行う場合、炉内圧力調整を行わず、炉内の温度調整のみを行った後、後述する不活性ガス供給工程Ｓ６０３へ移行するように制御してもよい。
【００４９】
（不活性ガス供給工程（Ｓ７０３））
炉内圧力・温度調整工程Ｓ６０２によって処理室２０１内の圧力と温度を所定の値に制御すると、駆動機構２６７は、シャフト２５５を回転させ、載置台２１０上のボート２１７を介してウエハ２００を回転させる。このとき、窒素ガス等の不活性ガスがガス供給管２３２を介してノズル１０５から供給される（Ｓ７０３）。さらにこのとき、処理室２０１内の圧力は１０Ｐａ以上１０２０００Ｐａ以下の範囲となる所定の値であって、例えば１０１３００Ｐａ以上１０１６５０Ｐａ以下となるように調整される。
【００５０】
（基板処理工程（Ｓ７０４））
処理室２０１内を所定の圧力となるように維持すると、マイクロ波発振器６５５−１、６５５−２はウエハ２００を１００℃以上１０００℃以下の温度帯、好適には６００℃以上９００℃以下の温度帯となるように加熱し、さらに好適には、８００℃以上８５０℃以下となるように加熱する。ウエハ２００が１００℃より低い温度で処理しようとした場合や、１０００℃よりも高い温度で処理しようとした場合、ウエハ２００がマイクロ波を吸収し難くなってしまい、ウエハ２００を効率的に加熱することができなくなってしまう。
【００５１】
ウエハ２００の温度は、サセプタ１０１ａの表面温度を温度センサ２６３によって測定した値から、記憶装置１２１ｃまたは外部記憶装置１２２に予め記憶された温度変換データによって推測される。マイクロ波発振器６５５−１、６５５−２は、導波管６５４−１と６５４−２を介して、電磁波導入ポート６５３−１と６５３−２からマイクロ波を処理室２０１内に供給する。
【００５２】
図４（Ｂ）に示すように処理室２０１内に供給されたマイクロ波４００は、サセプタ１０１の不透過領域と透過領域に入射することとなる。サセプタ１０１の不透過領域に入射したマイクロ波４００はサセプタ１０１に吸収されてサセプタ１０１を加熱し、サセプタ１０１からの輻射熱によってウエハ２００を加熱する。サセプタ１０１の透過領域であるマイクロ波透過孔３００に入射したマイクロ波４００は、サセプタ１０１を透過してウエハ２００に入射し、吸収される。すなわち、ウエハ２００が直接加熱される。このように構成することによって、ウエハ２００に対して直接加熱と間接加熱を同時に行うことが可能となり、極めて効果的に均一加熱することが可能となる。
【００５３】
マイクロ波発振器６５５を制御することでウエハ２００を上述した所定の処理温度まで加熱すると、予め定められた時間、当該処理温度を維持する。このようにマイクロ波発振器６５５を制御することでマイクロ波ウエハ２００の表面上に形成されたアモルファスシリコン膜の改質処理を行う。
【００５４】
ウエハ２００を加熱する場合、マイクロ波発振器６５５−１、６５５−２は、マイクロ波を間欠的に供給しながらマイクロ波発振器６５５−１、６５５−２の出力を大きくするように制御されることが好ましい。
【００５５】
ここで、ウエハ２００を効率よく加熱する、すなわち、ウエハ２００がマイクロ波を効率よく吸収させるためには、ウエハ２００のキャリア密度とキャリア温度依存性について検討する必要がある。図８に示すように、縦軸をキャリア密度（導電率に比例）、横軸を温度としたウエハ２００のキャリア密度の温度依存性の一例を示した場合、温度によって、領域（Ａ）、領域（Ｂ）、領域（Ｃ）に分けることができる。ウエハ２００がシリコン（Ｓｉ）基板である場合、例えば領域（Ａ）と（Ｂ）を分ける温度は約３２７℃、領域（Ｂ）と（Ｃ）とを分ける温度は約−７３℃である。図８から明らかであるように、領域（Ａ）と（Ｃ）は温度上昇とともに、キャリア密度も大きく上昇するが、領域（Ｂ）は温度が上昇した場合であっても、キャリア密度は大きく上昇しない。
【００５６】
ウエハ２００の単位時間当たりの発熱量はウエハ２００のキャリア密度に比例するため、キャリア密度が変動するとそれに伴って発熱量も変化する。このため、キャリア密度の変化が大きい領域（Ａ）で、マイクロ波加熱を行った場合、温度変化に応じてキャリア密度が増加する割合が大きいため、照射されるマイクロ波の電力が同じでも、ウエハ２００の昇温速度が大きくなる。したがって、領域（Ａ）において、マイクロ波による加熱が行われることが好ましい。
【００５７】
また、領域（Ａ）は、上述したようにウエハ２００の昇温速度が大きいため、マイクロ波が局所的に集中すると、集中した箇所が高温となりウエハ２００の面内で部分的に温度差が大きくなり、熱膨張差でウエハ２００が変形してしまう。このため、領域（Ａ）の温度帯でマイクロ波による加熱を行いつつ、ガス供給部より冷却ガスとしての不活性ガスを供給することによって、ウエハ２００を冷却することで、ウエハ２００の面内温度差を小さくしてウエハ２００が変形することを抑制しつつ、ウエハ２００の改質処理速度を向上させることが可能となる。
【００５８】
以上のようにウエハ２００を加熱処理することによってウエハ２００表面上に形成されているアモルファスシリコン膜がポリシリコン膜へと均一に改質（結晶化）することとなる。すなわち、ウエハ２００を均一に改質することが可能となる（Ｓ７０４）。
【００５９】
予め設定された処理時間が経過すると、コントローラ１２１によって、ボート２１７の回転、ガスの供給、マイクロ波の供給および排気管の排気を停止するように制御される。
【００６０】
基板処理工程の終了後、Ｎ２ガスなどの不活性ガスを供給し、処理室２０１内の圧力を大気圧に復帰する。このとき、基板処理を大気圧下で行う場合には、大気圧復帰の工程は省略される。
【００６１】
（基板搬出工程（Ｓ７０５））
処理室２０１内の圧力を大気圧復帰させた後に、駆動機構２６７は載置台２１０を下降させることにより、炉口を開口するとともに、ボート２１７を搬送エリア２０３に搬出（ボートアンローディング）する。その後ボートに載置されているウエハ２００を搬送エリア２０３の外部に位置する図示しない搬送室に搬出する（Ｓ７０５）。
以上の動作が繰り返されることにより、複数枚のウエハ２００が改質処理されることとなる。
【００６２】
（３）本実施形態による効果
本実施形態によれば、以下に示す１つ又は複数の効果が得られる。
（ａ）マイクロ波による直接加熱と、サセプタによる間接加熱を同時に行うことを可能とすることでマイクロ波加熱の特徴である高速加熱や選択加熱を損なわずに、ウエハに対する均一加熱が可能となる。すなわち、ウエハの面内温度均一性を向上させることが可能となる。
（ｂ）サセプタにマイクロ波透過孔を設けることで、単純な構造でマイクロ波の透過領域と不透過領域を構築することが可能となり、サセプタの加工費用の増大を抑制できる。
（ｃ）上下に配置されたサセプタのマイクロ波透過孔が、対向しないように配置されることによって、マイクロ波によるウエハの集中加熱領域を分散させることが可能となり、ウエハの均一加熱が可能となる。
（ｄ）ウエハの処理対象となる主面側にのみマイクロ波透過孔を有するサセプタを載置することによって、主面とは反対側のウエハ裏面を過加熱してしまうことを抑制することが可能となり、ウエハを効率良く昇温することが可能となる。
【００６３】
（４）変形例
本実施形態における基板処理工程は、上述の態様に限定されず、以下に示す変形例のように変更することができる。
【００６４】
（変形例１）
図９に示すように、変形例１は、図３のようにサセプタ全体にマイクロ波透過孔３００を設けず、サセプタ１０１の外周部にマイクロ波透過孔３００を多数設けた形態である。このように構成することによって、サセプタ１０１の外周部が電磁波透過領域となり、マイクロ波透過孔３００の設けられていない中心側が電磁波不透過領域となる。すなわち、放熱され易いために断熱することが難しいウエハ２００の外周部分に対し、集中してマイクロ波による直接加熱することが可能となる。反対に、断熱し易いウエハ２００の中心部は直接加熱によって生じた熱エネルギーの熱拡散や、サセプタ１０１からの間接加熱によって加熱されることとなる。これによって、ウエハ２００を均一に加熱することが上述した実施形態に比べて容易となる。
なお、本変形例における電磁波透過領域は、予めウエハ２００の温度分布を計測しておき、基準となる処理温度から所定の温度以上低くなる箇所を把握することで、当該箇所よりも外側を透過領域としてマイクロ波透過孔３００を設けるようにすればよい。
【００６５】
（変形例２）
図１０に示すように、変形例２は、変形例１とは逆にサセプタ１０１の中心部にマイクロ波透過孔３００が多数設けられている形態である。このように構成することによって、中心部が電磁波透過領域となり、マイクロ波透過孔３００の設けられていない外周部が電磁波不透過領域となる。本変形例によれば、基板処理装置の構成において、図１に示すようなウエハ２００の中心の上側から不活性ガスを供給するような構成である場合、ウエハ２００の中心部分が冷やされてしまう可能性がある。そこで、本変形例のように、中心部に電磁波透過領域を設けて直接加熱する構造とすることにより、ウエハ２００の中心部分を集中的に直接加熱することが可能となる。本変形例の場合においても、変形例１と同様に予めウエハ２００の温度分布を計測しておくことで電磁波透過領域を設定する位置を決定すればよい。
【００６６】
（変形例３）
図１１に示すように、変形例３は、サセプタ１０１の表面の中心から径方向に所定の距離ｄ（好ましくは処理室２０１内に供給するマイクロ波波長λの腹となる１／４λ）の長さおきに、マイクロ波透過孔３００が複数個で円周状に電磁波透過領域が設けられている形態である。換言すると電磁波透過領域と電磁波不透過領域とが径方向に（同心円状に）交互に設けられている形態である。サセプタ１０１にマイクロ波透過孔３００を設けない場合、図１２（ａ）に示すように、ウエハ２００に所定の間隔おきにシート抵抗(Ω/sq)の値が波状に上下しており、十分に改質されている部分と、改質されていない部分が同心円状にムラになっていることがわかる。これは、処理室２０１に供給されるマイクロ波の波長の振幅が大きい箇所、すなわち、マイクロ波エネルギーが高い、波長の４分の１に合わせて形成されていることが判明した。
【００６７】
これに対し、本変形例のようにサセプタ１０１にマイクロ波透過孔３００を配置した場合、すなわち、電磁波透過領域をマイクロ波の波長λの４分の１おきに設けて加熱した場合、図１２（ｂ）に示すように、マイクロ波透過孔３００によって、マイクロ波がウエハ２００の十分に改質されていない部分にも到達して直接加熱を行うことが可能となる。例えばＳｉＣで構成されるサセプタ１０１は、Ｓｉよりもマイクロ波吸収が大きく、比熱も小さいことから処理対象となるウエハ２００よりも早く加熱されウエハ２００への輻射による補助加熱を行いつつ、比熱が大きいウエハ２００の加熱時の温度ムラを緩和させることが可能となる。このとき同時にウエハ２００からの放熱も抑制することが可能である。囲繞のように本変形例によれば、上述した実施形態や変形例よりも効率的にウエハ２００を均一に加熱することが可能となる。
【００６８】
（変形例４）
図１３に示すように、変形例４は、複数のマイクロ波透過孔３００を円周方向に設ける代わりに、サセプタ１０１の径方向λ／４毎に、マイクロ波を透過させるための座繰り部３５０を有している。図１４に示すように、座繰り部３５０は、サセプタ１０１の厚みＨ１に対し、マイクロ波が透過可能な厚み（すなわち、Ｈ１からＨ２を切り欠いた厚さ）を残して切り欠くように（例えば溝形状となるように）形成されている。このとき切り欠く深さＨ２は、以下の数式３で表すことができる。
【００６９】
【数３】
0006664487.tif 000004
【００７０】
ここで、ｆはマイクロ波の周波数、εｒは比誘電率、ｔａｎθは誘電体損失角を表している。電磁波の透過量の粗密分布は、孔だけでなく物質の誘電特性による浸透深さ、すなわち、マイクロ波がサセプタ１０１の表面から内部に浸透して発生する電力が半分に減じる電力半減深度を考慮して、サセプタ１０１の板厚方向で透過量を調整することも可能となっている。例えば、図１４においてサセプタの厚みＨ１に対し、電力半減深度以上の深さなるように切り欠き深さＨ２を設定することで、処理室２０１内に供給されたマイクロ波がサセプタ１０１によるエネルギー損失を抑えつつ、ウエハ２００に到達することが可能となる。すなわち、マイクロ波がサセプタ１０１を透過することとなる。
【００７１】
このように構成することによって、マイクロ波透過孔３００を複数設ける実施形態や他の変形例に対してサセプタ１０１の強度を向上させることが可能となる。また、マイクロ波透過孔３００を複数設けるよりもサセプタ１０１の加工費用の増大を抑制することが可能となる。
【００７２】
（変形例５）
図１５に示すように、変形例５は、変形例４で設けた座繰り部３５０にマイクロ波透過孔３００を複数設けた形態である。
このように構成することによって、変形例３や変形例４と比較した場合、より効率的にウエハ２００をマイクロ波加熱することが可能となる。すなわち、電力半減深度となる座繰り部３５０によってマイクロ波が減衰するとともに、マイクロ波を透過するマイクロ波透過孔３００を設けることによって、ウエハ２００に到達するマイクロ波を制御することが可能となり、ウエハ２００が所定温度に昇温されることを簡易に制御することが可能となる。
したがって、本変形例によれば、ウエハ２００を均一に加熱することが可能となる。
【００７３】
以上、本発明の実施形態について具体的に説明した。しかしながら、本発明は上述の実施形態に限定されるものではなく、その要旨を逸脱しない範囲で種々変更可能である。また、実施形態および各変形例のそれぞれに記載されたサセプタは、適宜組み合わせて用いることが可能であり、それぞれの効果を合わせて得ることも可能である。
【００７４】
例えば、本発明に用いられる基板処理装置の形態として、上記の実施形態においては、窒素ガス等の不活性ガスが基板処理装置１００の処理室２０１の天井部から供給される形態を説明したが、図１６に示すように、ウエハ２００の側方にノズル１０５を設け、ウエハ２００の側面から不活性ガスを供給し、ウエハ２００の表面と平行にガス流れを形成する構成としてもよい。
【００７５】
また、上述した実施形態では、本発明の基板処理装置を用いた所定の処理としてアニール（改質）処理について説明したが、これに限らず、所定の膜を形成する成膜処理や、エッチング処理に用いることとしてもよい。
【００７６】
基板処理に用いられるレシピは、処理内容に応じて個別に用意し、電気通信回線や外部記憶装置１２３を介して記憶装置１２１ｃ内に格納しておくことが好ましい。そして、各種処理を開始する際、ＣＰＵ１２１ａが、記憶装置１２１ｃ内に格納された複数のレシピの中から、処理内容に応じて適正なレシピを適宜選択することが好ましい。これにより、１台の基板処理装置で様々な膜種、組成比、膜質、膜厚の薄膜を汎用的に、かつ、再現性よく形成することができるようになる。また、オペレータの負担を低減でき、操作ミスを回避しつつ、各種処理を迅速に開始できるようになる。
【００７７】
上述のレシピは、新たに作成する場合に限らず、例えば、基板処理装置に既にインストールされていた既存のレシピを変更することで用意してもよい。レシピを変更する場合は、変更後のレシピを、電気通信回線や当該レシピを記録した記録媒体を介して、基板処理装置にインストールしてもよい。また、既存の基板処理装置が備える入出力装置１２２を操作し、基板処理装置に既にインストールされていた既存のレシピを直接変更するようにしてもよい。
【産業上の利用可能性】
【００７８】
以上述べたように、本発明によれば、均一な基板処理を行うことができる技術を提供することができる。
【符号の説明】
【００７９】
１００…基板処理装置、１０１ａ、１０１ｂ…サセプタ（発熱体、輻射板）、１２１…コントローラ、２００…ウエハ、３００…孔、３５０…座繰り部、４００…マイクロ波、６５３−１、６５３−２…電磁波導入ポート、６５５−１、６５５−２…マイクロ波発振器（電磁波源）。   
【図１】
0006664487.tif 000005
【図２】
0006664487.tif 000006
【図３】
0006664487.tif 000007
【図４】
0006664487.tif 000008
【図５】
0006664487.tif 000009
【図６】
0006664487.tif 000010
【図７】
0006664487.tif 000011
【図８】
0006664487.tif 000012
【図９】
0006664487.tif 000013
【図１０】
0006664487.tif 000014
【図１１】
0006664487.tif 000015
【図１２】
0006664487.tif 000016
【図１３】
0006664487.tif 000017
【図１４】
0006664487.tif 000018
【図１５】
0006664487.tif 000019
【図１６】
0006664487.tif 000020